(57)【要約】【課題】  フライパンなどの把手がついた重量物を、使い勝手よく収納できるフライパンラックを提供する。【解決手段】  引き出しに設置して、フライパンや片手鍋を保持・収納するためのフライパンラックであって、前記ラックは少なくともその一部が線材によって構成されており、前記ラック上面に可動する仕切り棒が設けられ、前記仕切り棒と前記ラック上面の間は嵌合部材によって接続されていることを特徴とするフライパンラックを提供する。【選択図】  図１
2010148788.tif 000002
【特許請求の範囲】
【請求項１】
引き出しに設置して、フライパンや片手鍋を保持・収納するためのフライパンラックであって、
前記ラックは少なくともその一部が線材によって構成されており、
前記ラック上面に可動する仕切り棒が設けられ、
前記仕切り棒と前記ラック上面の間は嵌合部材によって接続されていることを特徴とするフライパンラック。
【請求項２】
前記嵌合部材は、内部径が先細りとなっており最終的に仕切り棒の径よりも細くなる仕切り棒挿入部と、
前記ラック上面の上方より、覆うようにして接続される接続部とを備えていることを特徴とする請求項１に記載のフライパンラック。
【請求項３】
前記ラック上面のうち、少なくとも一つの角が切り欠かれていることを特徴とする請求項１乃至２のいずれか一項に記載のフライパンラック
【請求項４】
前記ラックの内部底面には、フライパンや鍋などの収納物を係止するための係止部が設けられていることを特徴とする請求項１乃至３のいずれか一項に記載のフライパンラック
【発明の詳細な説明】
【技術分野】
【０００１】
本発明はキッチンキャビネットにおいて、フライパンや浅い片手鍋を保持・収納するための収納装置に関する。
【背景技術】
【０００２】
昨今、キッチンキャビネットにおいて引出しを設けたものが増加している。開閉扉式のものと比較して、たったままでも上方からアプローチしやすく収納物の出し入れが容易であること、調味料類・調理用品・保存道具など分類別に収納できることなどの点において優れている。
このような引き出しは一般的に、仕切りが設けられておらず、使用者が自分の好みや使用状況にあわせて仕切り板を設けるようになっている。
【０００３】
特許文献１ではこのようにスライドによって、自由に区画を変更できる仕切り板が提案されている。
また、特許文献２では自由にスライドでき、通気性にすぐれたスライドが提案されている。
【発明の開示】
【発明が解決しようとする課題】
【０００４】
しかしながら、上記のような仕切り構造は、一般的な調味料や食器を収納するための構造となっており、把手のついたフライパンや鍋などを保持するには不向きな構造となっている。
これらを保持・収納するためには把手のついた構造を収納するための構造と、一般的な食器や調味料と比較して重量の大きなフライパンや鍋を支えてもすべることのない仕切り保持機構が必要不可欠である。
【０００５】
本発明は上記課題を解決するためのもので、キッチンキャビネットの引出しに設けられる収納スペースを調整可能な収納器具であり、収納物の重量で仕切りがすべることなく、また把手のついた調理器具を効率的に収納することのできる収納器具を提供するものである。
【課題を解決するための手段】
【０００６】
上記課題を発明するための本発明は（請求項１）である。
【発明の効果】
【０００７】
本発明によれば収納物の重量で仕切りがすべることなく、また把手のついた調理器具を効率的に収納することのできる収納器具が提供される。
【発明を実施するための最良の形態】
【０００８】
以下、本発明の実施形態について図面を用いて説明を行う。図１は本発明の実施例の斜視図であり、図５は実際にフライパンを収納した状態を示す使用例の斜視図である。
フライパンラック１は全体が線材により構成されており、左右の一対のワイヤー３が横棒４によって連結された構造となっている。また、左右一対のワイヤー３において、上下間を支持ワイヤー６によって接続することで、変形や破壊に対する耐久性が向上される。
【０００９】
このとき、フライパンラック１の少なくとも２つ、好ましくは４つの角部では、支持ワイヤー６による上下間の接続がなされていない。つまり、フライパンラック１の四隅は支持ワイヤー６がなく、間隙が生じている。
これにより、引き出し内にフライパンラック１を設置する際に、四角の空間を確保する必要がなく、他物品が収納されている状態においてもフライパンラック１を設置することが可能となる効果を奏する。
【００１０】
また、接地するワイヤー３にはシリコンチューブ９を装着することにより、引出しの底とワイヤー３間の抵抗を増大させ、フライパンラック１全体が摺動してしまうことを防ぐと同時に、ワイヤー３によって引出しの底が傷つくことを防止する効果が得られる。
【００１１】
左右一対のワイヤー３を接続する横棒４を、中央よりも低い位置に接続することによって、図６に示したように、フライパンや鍋の蓋を収納する際に、その把手を避けて収納することが可能となっている。
【００１２】
ワイヤー３の下部は矩形上の構成となっている。それに対して、ワイヤー３の上部の角に切り欠き部８を設けることによって、引出し内にフライパンラック１を設置した場合に、その他の収納物が収納しやすいという効果が得られる。
【００１３】
前後の横棒４の間は二本の保持ワイヤー５によって接続されており、フライパンラック１全体の剛性を高め、変形や破損に対する耐久性を高めている。
本実施例では、この二本の保持ワイヤーの間隔を50mmに設定している。これにより、一般的な円形のフライパンを収納した場合に、設置面に接することなく、フライパンを保持することが可能となっている。この二本の保持ワイヤーの間隔は広すぎると収納するフライパンが設置面と接触してしまい、狭すぎるとフライパンのすわりが悪くなるために、収納したいフライパンにあわせて適宜設計する。
【００１４】
また、この二本の保持ワイヤー５の間は二つの仕切りワイヤー７によって接続されており、これによってさらにフライパンラック１の耐久性は向上する。
この二つの仕切りワイヤー７は、フライパンを収納した場合に、フライパンの下部を支えることができる。この仕切りワイヤー７は収納されるフライパンの厚さを考慮して適宜変更することが可能であるが、本実施例においては厚手のフライパンと薄手のフライパンを同時に収納することを考慮して、仕切りワイヤー７の間隔は一定ではない。
【００１５】
二つのワイヤーの組の上部は可動棒１０によって連結される。この可動棒１０は使用者が自分の都合のよい間隔で、都合のよい本数だけ連結することが可能である。
また、一度連結した可動棒１０であっても、ワイヤー３上部をスライドさせることができるようになっており、収納するフライパンにあわせて可動棒１０の間隔を適宜変更することが可能となっている。
【００１６】
ワイヤー３上部の間隔を調整することによって、フライパンを斜めに収納することも可能となる。背の高いフライパンであっても、斜めに寝かせて収納することで、収納高さの低い引き出し内に収納することが可能となるという効果が得られる。
【００１７】
この可動棒１０をスライドして間隔を変更することによって、比較的大型のフライパンであっても斜めに寝かせて収納することで、引出し内に収納することが可能になる。
その他、片手鍋、鍋・フライパンの蓋などを収納する際も、可動棒１０の間隔を調整することで収納が可能である。
【００１８】
可動棒１０は嵌合部材２によって、ワイヤー３と接続されている。嵌合部材２の斜視図を図２に、上面図を図３に示す。
【００１９】
嵌合部材２とワイヤー３との接続はワイヤー接続部１２によって行われる。ワイヤー接続部１２は半円形の形状となっており、ワイヤー３の上部からかぶせるようにして装着することで、接続が行われる。
このとき、ワイヤー接続部１２の長さを調整することにより、ワイヤー３と嵌合部材２の間に適度な摩擦力を設定することが可能である。設計者はフライパンの重量に耐えながらも使用者がスライドさせやすいだけの摩擦力を得るために、適宜ワイヤー接続部１２の長さを設計する。
【００２０】
また、このワイヤー接続部１２の中央付近にはトンネル開口部１３が設けられている。これによって、ワイヤー３同士が垂直に接合されている部分にも嵌合部材２を取り付けることが可能となる。
【００２１】
嵌合部材２の断面図を図４に示す。嵌合部材２には可動棒を挿入するための可動棒挿入部１１が設けられている。この可動棒挿入部１１は奥のほうが径が小さくなるように傾斜をもった構成となっており、可動棒１０を挿入しやすく、可動棒１０の径が多少変化しても確実に接続することが可能となっている。
【００２２】
また、この嵌合部材２はその機能を低下させない範囲で適宜リブを設けることによって、機械的強度を高めることができる。本実施例においてもリブ１４を設けた例を図示している。
【図面の簡単な説明】
【００２３】
【図１】フライパンラック１全体の斜視図
【図２】嵌合部材２の斜視図
【図３】嵌合部材２の上面図
【図４】嵌合部材２の側断面図
【図５】フライパンラック１にフライパンを収納した状態の斜視図
【図６】フライパンラック１にフライパンの蓋を収納した状態の斜視図
【符号の説明】
【００２４】
１……フライパンラック
２……嵌合部材
３……ワイヤー
４……横棒
５……保持ワイヤー
６……支持ワイヤー
７……仕切りワイヤー
８……切り欠き部
９……シリコンチューブ
１０……可動棒
１１……可動棒挿入部
１２……ワイヤー接続部
１３……トンネル開口部
１４……リブ
【図１】
2010148788.tif 000003
【図２】
2010148788.tif 000004
【図３】
2010148788.tif 000005
【図４】
2010148788.tif 000006
【図５】
2010148788.tif 000007
【図６】
2010148788.tif 000008